(57)【要約】【課題】  被検者への装着が容易で、被検者の行動の自由度を向上させるプローブ装置を提供する。【解決手段】  その先端に前記光照射手段を備えた複数の光照射プローブ本体３１０と、その先端に前記光検出手段を備えた複数の光検出プローブ本体４１０と、前記光照射プローブ本体３１０と前記光検出プローブ本体４１０とを保持するプローブ支持体２２０と、前記光検出プローブ本体４１０と前記光照射プローブ本体３１０とを前記プローブ支持体２００の前記所定の位置に支持する本体支持部３５０，４５０とを含んで構成し、前記プローブ支持体２００を、立体織物構造を備えた外シート２２１と、立体織物構造を備えた内シート２２２と、前記外シート２２１と前記内シート２２２との間に配置される遮光シート２２３と配線シート２３０とを積層した構造体とし、前記光検出プローブ本体４１０に光検出部４１５を備え、この光検出部４１５と前記配線シート２３０とを前記本体支持部４５０を介して電気的に接続する。【選択図】  図１
2008200226.tif 000002
【特許請求の範囲】
【請求項１】
生体表面に光を照射する光照射手段と、生体内部を通過して生体表面から出射する光強度を検出する光検出手段とを備える生体光計測装置に用いるプローブ装置において、  
前記プローブ装置は、その先端に前記光照射手段を備えた複数の光照射プローブ本体と、その先端に前記光検出手段を備えた複数の光検出プローブ本体と、前記光照射プローブ本体と前記光検出プローブ本体とを保持するプローブ支持体と、前記光検出プローブ本体と前記光照射プローブ本体とを前記プローブ支持体の前記所定の位置に支持する本体支持部とを備え、
前記プローブ支持体は、立体織物構造を備えた外シートと、立体織物構造を備えた内シートと、前記外シートと前記内シートとの間に配置される遮光シートと配線シートとを積層した構造体であり、
前記光検出プローブ本体は光検出部を備え、この光検出部は前記本体支持部を介して前記配線シートと電気的に接続されている
ことを特徴とするプローブ装置。
【請求項２】
請求項１記載のプローブ装置において、
発光プローブ本体は発光部を備え、この発光部は前記本体支持部を介して前記配線シートと電気的に接続されている
ことを特徴とするプローブ装置。
【請求項３】
請求項１または２記載のプローブ装置において、
前記プローブ支持体は、本体支持部を支持するシート状のプローブ保持部と、前記プローブ保持部の長手方向の両側に設けられる支持部材と、前記プローブ保持部の短手方向の一端に配置される滑り止め部材と、前記プローブ保持部の短手方向の他の一端に設けられ、前記支持部材の距離を調節する距離調整部材と、前記一対の支持部材に取り付けられる固定ベルトとから構成され、
前記プローブ保持部が、立体織物構造を備えた外シートと、立体織物構造を備えた内シートと、前記外シートと前記内シートとの間に配置される遮光シートと配線シートとを積層した構造体である
ことを特徴とするプローブ装置。
【請求項４】
請求項１から３記載の何れかのプローブ装置において、
前記プローブ装置から出力される電気信号を画像処理してマップ等の表示を行う生体光計測装置本体と無線通信を可能とする通信手段と、前記プローブ装置に電源を供給する電源部とを備えたホルダ基板部を備え、
このホルダ基板部は前記配線シートと電気的に接続される
ことを特徴とするプローブ装置。
【請求項５】
請求項１から４記載の何れかのプローブ装置において、
光照射プローブ本体と光検出プローブ本体は、外シートから露出する位置に、帯状の配線押え板の一端を取り付けるための配線押え板取付部を備えている
ことを特徴とするプローブ装置。
【請求項６】
請求項１から４記載の何れかのプローブ装置において、
前記本体支持部は、外シートから露出する位置に、帯状の配線押え板の一端を取り付けるための配線押え板取付部を備えている
ことを特徴とするプローブ装置。
【請求項７】
請求項５または６記載のプローブ装置において、
前記光照射プローブ本体と前記光検出プローブ本体とは互いに隣接するような格子状の配列でプローブ支持体に保持され、
前記配線押え板は、両端部に配線押え板取付部に取り付けるための取付手段を備えるとともに、前記取付手段の間の長さは、同種の前記光照射プローブ本体または前記光検出プローブ本体、あるいはこれを支持する前記本体支持部の前記配線押え板取付部に取り付けることが可能な長さに設定されている
ことを特徴とするプローブ装置。
【発明の詳細な説明】
【技術分野】
【０００１】
本発明は、本発明は、生体光計測装置用のプローブ装置に係り、特に、生体内の局所的な血液動態変化を計測するために使用して好適な生体光計測装置用のプローブ装置に関する。
【背景技術】
【０００２】
生体光計測装置として、光トポグラフ装置と呼ばれる計測装置が知られている。この装置は、光照射／検出部を持つプローブ本体を多数配置したプローブ装置を、各プローブ本体が計測部位、例えば、頭部に密着するように取り付けて、各プローブ本体から近赤外線を照射して計測を行うというものである。
【０００３】
従来技術によるプローブ装置は被検者の頭部形状に合わせて椀形に形成されたシート材によるシェル部に、複数のプローブ本体を格子状に配置して構成されている。個々のプローブ本体は、シェル部から取り外し可能であり、プローブ本体が毛髪等により頭皮との接触が不完全であることがモニタ画面により確認された場合、その部分のプローブだけを装着し直すことが可能とされている。このように構成されるプローブ装置は、これを被検者の頭部に装着する場合、被験者の頭部形状の個人差や装着部位の違いにより、必ずしも頭部にフィットするとは限らないので、固定ベルトをあごに掛けてシェル部をしっかりと頭部に押し付けるようにして使用される。そして、計測に当っては、各光ファイバーを介して送られてくる近赤外線を発光用プローブ本体を介して頭部の皮下に向けて照射し、その反射光を受光用プローブ本体で受け、光ファイバーを介して計測装置本体に送り返す構造を備えている。
【０００４】
【特許文献１】特開２００１−２８６４４９号公報
【発明の開示】
【発明が解決しようとする課題】
【０００５】
前記従来技術のプローブ装置は、シェル部に対して光を照射する発光部と検出部が交互に格子状に配列されており、これら発光部と検出部にはそれぞれ光ファイバーを介して光を供給したり、あるいは検出した検出光を光ファイバを介して収集する構造を備えている。このため、このプローブ装置を頭部に装着した被検者は、頭部の周囲に複数のファイバーが取り付けられるため、被検者の行動の自由度を阻害したり、あるいは被検者に不安感を抱かせる課題がある。
【０００６】
本発明の目的とするころは、被検者への装着が容易で、被検者の行動の自由度を向上させるプローブ装置を提供することにある。
【課題を解決するための手段】
【０００７】
前記目的を達成するために、本発明に係るプローブ装置は、その先端に前記光照射手段を備えた複数の光照射プローブ本体と、その先端に前記光検出手段を備えた複数の光検出プローブ本体と、前記光照射プローブ本体と前記光検出プローブ本体とを保持するプローブ支持体と、前記光検出プローブ本体と前記光照射プローブ本体とを前記プローブ支持体の前記所定の位置に支持する本体支持部とを含んで構成し、前記プローブ支持体を、立体織物構造を備えた外シートと、立体織物構造を備えた内シートと、前記外シートと前記内シートとの間に配置される遮光シートと配線シートとを積層した構造体とし、前記光検出プローブ本体に光検出部を備え、この光検出部と前記配線シートとを前記本体支持部を介して電気的に接続する。
【発明の効果】
【０００８】
本発明によれば、プローブ装置の周囲に配置される複数の光フアイバーを無くしたり、あるいは少なくすることができるので、被検者への装着が容易で、被検者の行動の自由度を向上させることができる。
【発明を実施するための最良の形態】
【０００９】
以下、図１から図１５を参照して、この発明に係る生体光計測装置を具体的に説明する。図１から図９が第１の実施の形態に係る生体光計測装置、図１０から図１４が第２の実施の形態に係る生体光計測装置、図１５が第３の実施の形態に係る生体光計測装置をそれぞれ示している。なお、同一の部位や方向などは同一符号を持って示し、重複した説明を省略する。
【００１０】
（第１の実施の形態）
図１から図９を参照して第１の実施の形態に係る生体光計測装置を詳細に説明する。この実施の形態に係る生体光計測装置は、脳のある部位が活動をすると、それに伴って、その部位に酸素を送る為の血液量が増大することを利用して、生体内の局所的な血液動態変化を計測する装置である。具体的には、頭皮上から近赤外光を照射し、この近赤外光が血液中のヘモグロビンによる散乱を計測することで、大脳の表面付近の血液量の変化を計測し、それを２次元的なマップ等に表わすなどして簡便に脳の働きを観察することができる。ここで、近赤外光とは、可視光より波長の長い領域の電磁波である。
【００１１】
先ず、図１を参照して、この第１の実施の形態に係る生体光計測装置の概略構造を説明する。図１は第１の実施の形態に係る生体光計測装置の概略構成図を示している。図１において、符号１で総括的に示す生体光計測装置は、被検者の頭部に装着するプローブ装置１００と、このプローブ装置１００から出力される電気信号を画像処理してマップ等の表示を行う生体光計測装置本体１０とを含んで構成される。
【００１２】
前記プローブ装置１００は、被検者の頭部に装着するためのプローブホルダ２００と、このプローブホルダ２００に所定の間隔で取り付けられる複数の発光プローブ３００及び複数の検出プローブ４００と、前記複数の発光プローブ３００及び複数の検出プローブ４００と接続されるホルダ基板部５００とから構成される。
【００１３】
前記プローブホルダ２００は、複数の発光プローブ３００と検出プローブ４００とを支持するシート状のプローブ保持部２２０と、このプローブ保持部２２０の両端を支持する支持部材２５０と、この支持部材２５０の間に位置する前記プローブ保持部２２０の一辺に設けられる滑り止め部材２６０と、滑り止め部材２６０と対向するプローブ保持部の他の一辺に取り付けられる距離調整部材２７０と、前記一対の支持部材２５０を連結する固定ベルト２８０とから構成される。
【００１４】
この実施の形態では、前記プローブ保持部２２０を略横長の長方形に形成し、この両側となる長手方向の両端に前記保持部材２５０が設けられ、長方形の短手方向の両端に前記滑り止め部材２６０と距離調整部材２７０が取り付けられている。そして、この実施の形態によれば、前記プローブ保持部２２０の長手方向を被検者の頭部の横姿勢となる方向で被検者の頭部に押し当ててセットする。この姿勢であれば、前記プローブ保持部２２０の下辺となる位置に取り付けられてる前記滑り止め部材２６０は、被検者の額の位置となるので、プローブホルダ２００の落下を防止機能する機能を備えることができる。
【００１５】
一方、プローブ保持部２２０の上辺に取り付けられる前記距離調整部材２７０は、その両端が前記一対の支持部材２５０に支持されることにより、この支持部材２５０の距離を短くする機能を有している。このため、プローブ保持部２２０は、その上辺を前記距離調整部材２７０によって絞り込まれることにより、ほぼ球体状の被検者の頭部の形状に合わせて湾曲する形状とすることができるので、このプローブ保持部２２０を被検者の頭部にフイットさせることができる。
【００１６】
また、前記一対の支持部材２５０に取り付けられる固定ベルト２８０は、長さ調整機能を備えているので、前記プローブ保持部２２０を被検者の頭部にフイットさせた状態を維持させた状態で、このプローブ保持部２２０を被検者の頭部に固定することができる。
【００１７】
また、複数の発光プローブ３００と検出プローブ４００は、斜線で示した発光プローブ３００の両隣に検出プローブ４００を位置するように、交互にかつマトリックス状に配置される。このため、１つの発光プローブ３Ａから照射された光は、Ｘ方向とＹ方向の両隣に配置される４個の検出プローブ４Ａ、４Ｂ、４Ｃ、４Ｄの検出部４１１で検出することができる。言い換えれば、１つの検出プローブ４００は、Ｘ方向とＹ方向の両隣に配置される４個の発光プローブ３００から照射された光を検出することができる。つまり、この実施の形態によれば、プローブ装置１００が装着されている領域全体の血液動態変化を計測することができる。
【００１８】
また、発光プローブ３００と検出プローブ４００は、図１の下部右側の吹き出し内に示すように、同様な構造を備えている。ここでは、検出プローブ４００の構造を中心に説明し、発光プローブ３００については検出プローブ４００との相違点を中心に説明する。
【００１９】
図１の下部右側の吹き出し内に示すように、検出プローブ４００は、検出ユニット４１１を備えた検出プローブ本体４１０と、この検出プローブ本体４１０をプローブホルダ２００の前記所定の位置に取り付ける検出プローブ取付部４５０とから構成される。一方、発光プローブ３００は、前記検出ユニット４１１と同様な構造を有する発光ユニット３１１を備えた発光プローブ本体３１０と、この発光プローブ本体３１０をプローブホルダ２００の前記所定の位置に取り付ける発光プローブ取付部３５０とから構成される。
【００２０】
検出プローブ本体４１０と発光プローブ本体３１０は、いずれも、被検者側に突起部４１２を備え、この突起部４１２の先端と検出ユニット４１１または発光ユニット３１１とを連通する光フアイバー４１３が設けられている。
【００２１】
前記発光ユニット３１１は、図１の左上の吹き出し内に示した光源部３１５と外来起因の雑音を除去するために発振器３１６とを備えている。ここで、発光部３１１としては、半導体レーザ、チタンサファイアレーザ、発光ダイオード等を用いることができるが、この実施の形態では発光ダイオードを備えた発光部３１１を採用した発光プローブ本体３１０の事例で説明している。
【００２２】
また、前記検出ユニット４１１は、図１の右上の吹き出し内に示した検出部４１５とロックインアンプ４１６と対数増幅器４１７とを備えている。ここで、検出部４１５としては、フォトダイオードや光電子増倍管等の光電変換素子を用いることができるが、この実施の形態ではフォトダイオードを備えた検出部４１５を採用した検出プローブ本体４１０の事例で説明している。
【００２３】
また、前記ホルダ基板部５００は、差動増幅器５５０とＡ／Ｄ変換器５５１とプローブ通信部５５２と、電源部５６０とを備えている。この実施の形態では、シート状の前記プローブ保持部２２０に、前記ホルダ基板部５００と、このプローブ保持部２２０に取り付けられる前記発光プローブ３００及び前記検出プローブ４００とを電気的に接続する配線シート２３０を備えている。このため、前記プローブ保持部２２０の前記配線シート２３０と前記ホルダ基板部５００とをコード５０１を介して電気的に接続することで、前記ホルダ基板部５００に設けられる各機器と前記発光プローブ３００及び前記検出プローブ４００とを電気的に接続することができる。
【００２４】
一方、前記生体光計測装置本体１０は、計算機１１と、表示部１２と、本体通信部１３とを含んで構成される。この実施の形態では、この生体光計測装置本体１０と前記ホルダ基板部５００にそれぞれ本体通信部１３とプローブ通信部５５２を設けることにより、この生体光計測装置本体１０と、ホルダ基板部５００を備えたプローブ装置１００とをコードレスで電気的に接続することができる。このため、プローブ装置１００を頭部に装着した被検者は、前記生体光計測装置本体１０とコードを介して接続されること無く、電気的に接続されるため、このコード類による束縛を受けることなく、被検者の検査結果を前記生体光計測装置本体１０で計測することができる。
【００２５】
この生体光計測装置１によれば、ホルダ基板部５００の電源部５６０から電源供給を受けて発光部３１５から発せられる約1.5ｍWの弱い近赤外光（光）は、図示しないレンズ系を用いて発光部３１５内で集光されて、この発光部３１５の下部に設けられる突起部４１２の照射用の光ファイバー４１３を介して被検者５０の頭部に照射される。発光部３１５から発せられる光は、外来起因の雑音を除去するために発振器３１６により１００Ｈｚ〜１０ＭＨｚ程度の任意の周波数ｆで強度変調されている、または、CDMAなどのように符号化されたパルス列として照射される。
【００２６】
用いる光の波長は、生体内の注目物質の分光特性によるが、血液内のＨｂとＨｂＯ2との濃度から酸素飽和度や血液量を計測する場合には６００ｎｍ〜１４００ｎｍの波長範囲の光の中から１あるいは複数波長選択して用いる。被検者５０の頭部に照射された光は、照射用の光ファイバー４１３の視野の領域を通過し、この領域内の血管等の局所的に血液動態が変化する領域を通過して、検出部４１１の下部に形成される突起部４１２の検出用の光ファイバー４１３を介して検出部４１５で検出される。
【００２７】
検出用の光ファイバー４１３を介して検出部４１１で検出された光は、この検出部４１１で光電変換され、通過光の強度が電気信号の強度として出力される。複数の検出部４１１から出力された通過光強度を表わす電気信号は、それぞれのロックインアンプ４１６により光源の光強度変調周波数成分のみが抽出され、それぞれの対数増幅器４１７で対数変換された後に配線シート２３０を介してホルダ基板部５００に収集される。
【００２８】
複数の検出部４１１で収集された信号はホルダ基板部５００の差動増幅器５５０に入力される。この差動増幅器５５０では、例えば、検出プローブ４００ａからの出力は負極に入力され、検出プローブ４００ｂからの出力は正極に入力され、その結果として、異なる２ヵ所の位置での通過光強度の差分信号が、出力信号として出力される。この差動増幅器１４からの出力信号は、逐次Ａ／Ｄ変換器１５でデジタル信号に変換され、プローブ通信部５５２を介して生体光計測装置本体１０に送信される。
【００２９】
本体通信部１３を介して生体光計測装置本体１０に受信した信号は計算機１６に取り込まれて処理された後、表示装置１７に時系列データとして表示される。ここで、この実施の形態では、本体通信部１３とプローブ通信部５５２とを無線通信方式のものを採用しているが、赤外線や他の通信手段を介して信号の送受信を行うようにしても良い。もちろん、コードを介して接続してもよいが、その場合、被検者の行動の自由度が束縛されることになる。
【００３０】
そして、この実施の形態に係る生体光計測装置１の大きな特徴の１つは、前記プローブ保持部２２０を、発光プローブ３００と検出プローブ４００の姿勢を維持できる柔軟性のある保持機能と、外光の頭部への進入を防ぐ遮光機能と、信号や電源の配線を包含する配線機能とを備えた積層構造とした点にある。
【００３１】
即ち、この実施の形態では、図１の右下の吹き出し内に図示するように、シート状のプローブ保持部２２０を、このプローブ保持部２２０の外表面に設けられる外シート２２１と、このプローブ保持部２２０の被検者の頭部側の内表面に設けられる内シート２２２と、外シート２２１と内シート２２２との間に設けられる遮光シート２２３と配線シート２３０とで構成している。この実施の形態では、前記外シート２２１と内シート２２２を、５ｍｍから１０ｍｍの厚さの範囲で形成される樹脂繊維で形成される立体織物地で構成する。
【００３２】
この立体織物地は、一般に、三次元織物とも呼ばれるものであり、縦、横、垂直の３方向に繊維材料（糸状）を立体的に組織した織物であり、連結糸の素材としては、ポリエチレンテレフタレート、ポリブチレンテレフタレート、ポリトリメチレンテレフタレート等から製造されるポリエステル系繊維、綿、キュプラレーヨン、ビスコースレーヨン、精製セルロース繊維等のセルロース系繊維、ナイロ６、ナイロン６６等から製造されるポリアミド系繊維等、何れの繊維であってもよい。繊維の形態は、フィラメント糸やスパン糸の何れの繊維を採用してもよい。
【００３３】
この実施の形態では、この立体織物地を採用することことにより、その適度な厚みで、前記発光プローブ取付部３５０または検出プローブ取付部４５０を軽量化を図りつつ確り保持するとともに、この織物地内に形成される空間を介して被検者の発汗を良好なものとすることができる。
【００３４】
一方、遮光シート２２３は、立体織物地で形成されるプローブ保持部２２０の遮光性の悪さを向上するものであり、この実施の形態では、黒色の布地を外シート２２１と内シート２２２間に挿入する。この遮光シート２２３の採用により、外光がプローブ保持部２２０内に進入することを防ぐとともに、頭皮から反射する反射光も吸収して測定性能を向上する効果も期待できる。
【００３５】
更に望ましくは、照射光や環境光が頭部と周辺とで乱反射して迷光として検出部に到達することを防止ないし軽減するために、内シート２２２、取付リング部４５２、配線シート２３０といった頭部側の部材は、つや消し黒の塗装または着色されたものが、より好適である。
【００３６】
また、この実施の形態では、配線シート２３０として、例えば、薄い樹脂フイルムの表面に銅箔などを貼り付けた帯状のフレキシブルプリント配線板を採用している。これにより、プローブ保持部２２０の厚さムラを起こすことなく配線が施された積層構造を実現することができる。
【００３７】
また、この実施の形態では、帯状の配線シート２３０をプローブ保持部２２０の長手方向に沿って複数行配列し、この帯状の配線シート２３０の間に、発光プローブと検出プローブを交互に配列される１行の配列群２９０を配列する。例えば、この実施の形態では、帯状の配線シート２３０ａ、２３０ｂ、２３０ｃ、２３０ｄをプローブ保持部２２０の長手方向に沿って配列し、この配線シート２３０の間に各１行の発光プローブと検出プローブの配列群２９０ａ、２９０ｂ、２９０ｃを配列する。
【００３８】
そして、この実施の形態の他の大きな特徴の１つは、プローブ保持部２２０の長手方向に沿って配列される複数の配線シート２３０を交互に発光プローブ用の配線シートと、検出プローブ用の配線シートに設定し、この２つの配線シートに発光プローブ取付部３５０と検出プローブ取付部４５０を結線し、そして、この２つの配線シートをプローブ保持部２２０の長手方向の両側に分けて引き出した点にある。
【００３９】
即ち、この実施の形態では、配線シート２３０ａと２３０ｃを発光プローブ３００の配線用として利用し、この配線シート２３０ａと２３０ｃには斜線で示す発光プローブ３００が同様の構造を備えた配線シートを介して結線され、更に、この配線シート２３０ａと２３０ｃの一方の片側（左側）は、支持部材２５０に設けられる図示しないコネクタに接続される。そして、このコネクタには、電源部５６０を備えたホルダ基板部５００から導かれるコード５０１が接続される。
【００４０】
一方、配線シート２３０ｂと２３０ｄを検出プローブ４００の配線用として利用し、この配線シート２３０ｂと２３０ｄには検出プローブ４００が同様の構造を備えた配線シートを介して結線され、更に、この配線シート２３０ｂと２３０ｄの他方の片側（右側）は、支持部材２５０に設けられる図示しないコネクタに接続される。そして、このコネクタには、差動増幅器５５０等を備えたホルダ基板部５００から導かれるコード５０１が接続される。
【００４１】
このように、この実施の形態によれば、２系統の帯状の配線シート２３０により、複数の発光プローブ３００と検出プローブ４００がそれぞれ最短距離で結線され、しかも、この系統の異なる配線が発光プローブ本体３１０の長手方向の両側に分けて配線されるので、コネクタや配線スペースを効率よく設けることができるとともに、配線やコネクタ接続などの取り扱いが容易となる。なお、この実施の形態では、２系統の配線を左右両側に分けて配線しているが、例えば、片側の支持部材２５０の２系統のコネクタをまとめて設けるように配線しても良い。
【００４２】
以下、図１の構造が適用される実施の形態を図２から図９を参照して更に詳細に説明する。
【００４３】
先ず、図２、図３を参照して検出プローブの周辺構造を更に詳細に説明する。図２は、検出プローブの周辺構造の展開図である。図３は検出プローブの断面図である。図４は検出プローブの外観図である。ここで、前記したように、発光プローブ３００は検出プローブ４００と同様な構造を備えているため、ここでは説明を省略する。
【００４４】
図２において、プローブ保持部２２０は、所定の位置に検出プローブ取付部４５０を取り付けるための開口部２２４が設けられている。そして、このプローブ保持部２２０は、一対の外シート２２１と内シート２２２との間に、遮光シート２２３と配線シート２３０と設けられる積層構造を備えている。この実施の形態では、外シート２２１側に遮光シート２２３を設け、内シート２２２側に配線シート２３０を設けることで、配線シート２３０が外シート２２１を介して透けて見えるのを防止している。
【００４５】
さて、この実施の形態では、検出プローブ取付部４５０を、本体リング部４５１と取付リング部４５２と、結線蓋部４５３とで構成する。本体リング部４５１は高さの低い筒状の外観を備え、その一端側に外周に張り出したリング状のフランジ部４５４が設けられている。また、このフランジ部４５４には、このフランジ部側の外周の一端に開閉可能に取り付けられる前記結線蓋部４５３が設けられている。この結線蓋部４５３の内側面４５５には、取付側コネクタ４５６が設けられ、この取付側コネクタ４５６に接続する配線４５７が本体リング部４５１の他方の端部側に延在して設けられている。なお、結線蓋部４５３の自由端となる端部側には固定突起４５８ａが設けられており、この結線蓋部４５３は、この固定突起４５８ａをフランジ部４５４に設けた固定受部４５８ｂに取り付けることにより、本体リング部４５１のフランジ部側の開放部を結線蓋部４５３で塞ぐことが出来る。
【００４６】
また、本体リング部４５１のフランジ部側と対向する端部側には取付リング部４５２を取り付けることができる。この取付リング部４５２は、本体リング部４５１に取り付けることにより、前記フランジ部４５４とこの取付リング部４５２との間にプローブ保持部２２０を挟み込んで、検出プローブ取付部４５０をプローブ保持部２２０に確り保持させることができる。
【００４７】
即ち、この実施の形態では、組み立てにあたっては、プローブ保持部２２０に形成した開口部２２４から飛び出している配線シート２３０の配線の端部２３１と検出プローブ取付部４５０の周側面に設けられる配線４５７とを結線し、この開口部２２４に本体リング部４５１のフランジ部４５４と対向する端部側を挿入する。そして、この端部側に取付リング部４５２を熱溶着または接着剤等を介して取り付ける。これにより、前記フランジ部４５４と取付リング部４５２との間に開口部２２４を挟みこんでプローブ保持部２２０に検出プローブ取付部４５０を確り保持することができる。
【００４８】
なお、この実施の形態では配線４５７と配線シート２３０の配線の端部２３１とを結線するとしたが、図３に示すように接続コネクタ４６０を互いの端部に設けて、これを結線するようにしても良い。また、この実施の形態では、本体リング部４５１と取付リング部４５２と分離する構造としたが、この両部材を一体成型し、プローブ保持部２２０の開口部の柔軟性（弾性）を利用して、取付リング部４５２に相当する部分を挿入して取り付けるようにしても良い。
【００４９】
また、前記本体リング部４５１には、検出プローブ本体４１０が挿入される。この構造を図３、図４を参照して更に詳細に説明する。
【００５０】
図３において、前記検出プローブ本体４１０は円柱形状の外観を備えるとともに、一方の端部面に前記突起部４１２が形成され、他の端部面には本体側コネクタ４１９が設けられている。この本体側コネクタ４１９は、図１で示した検出ユニット４１１と検出プローブ取付部４５０との電気的な接続を可能とするものである。また、検出プローブ本体４１０の周囲には外周に張り出した位置決めフランジ部４１８が設けられている。
【００５１】
一方、本体リング部４５１の取付リング部４５２が取り付けられる端部側の内径は、フランジ部４５４側の内径より狭くなるように、内方に突出する本体位置決め突起４５９が設けられている。したがって、本体リング部４５１の内部に検出プローブ本体４１０を挿入すると、前記位置決めフランジ部４１８が本体位置決め突起４５９に当たるので、突起部４１２が適度に被検者の頭部側に張り出した位置で、検出プローブ本体４１０を検出プローブ本体４１０内に保持することができる。ここで、この位置決めフランジ部４１８は本体リング部４５１の内面と適度な隙間を持って形成されることにより、左右方向のガタツキを軽減している。
【００５２】
そして、前記検出プローブ本体４１０の上面に設けた本体側コネクタ４１９に結線蓋部４５３の取付側コネクタ４５６を連結することにより、検出プローブ本体４１０と検出プローブ取付部４５０、そしてプローブ保持部２２０とを電気的に接続することができる。
【００５３】
図３、図４において、結線蓋部４５３は、柔軟性のある連結部材４６１によって本体リング部４５１に取り付けられ、更に固定突起４５８ａもまた柔軟性のある材料で形成される。したがって、結線蓋部４５３を検出プローブ本体４１０に取り付けることで、検出プローブ本体４１０は、矢印P1で示す被検者側に近づけたり離したりする方向と、この矢印P1を周囲に倒す方向P3、更に矢印P1を中心軸とする回転方向P2に自由度を持って検出プローブ取付部４５０に保持される。
【００５４】
この構造によれば、検出プローブ本体４１０は、柔軟性のある結線蓋部４５３によって検出プローブ取付部４５０に取り付けられるので、被検者５０の頭部の凹凸に合わせて検出プローブ本体４１０の姿勢を変化させることができる。
【００５５】
また、この実施の形態では、結線蓋部４５３が検出プローブ取付部４５０の上部に張り出した状態で検出プローブ本体４１０が保持されるので、結線蓋部４５３を指で摘むなどして突起部の中心軸Ｑ１を中心に検出プローブ本体４１０を回転させたり、移動させることができる。
【００５６】
次に、図５から図９を参照して、プローブ装置１００の具体的な構造の一例を詳細に説明する。図５はプローブ装置の外観を示す後方斜視図である。図６は被検者の頭部にプローブ装置を取り付けた状態の斜視図である。図７はホルダ基板部の動作機構を示す参考図であり、（ａ）図が部分側面図、（ｂ）図が部分断面図である。図８は距離調整部材の具体的構造を示す参考図であり、（ａ）図はプローブ装置の正面図、（ｂ）図が被検者の頭部に装着した状態の断面図である。図９はホルダ基板部の他の応用構造を示す後方斜視図である。
【００５７】
図５と図６において、この実施の形態に係るプローブ装置１００は、プローブホルダ２００に対してホルダ基板部５００を移動可能に取り付けた構造を備えている。
【００５８】
即ち、プローブホルダ２００は、発光プローブ３００と検出プローブ４００が設けられるプローブ保持部２２０を、下辺部と両側辺部で保持するプローブ保持体２４０で保持する構造を採用している。このプローブ保持体２４０は、プローブ保持部２２０の長手方向の両側に設けられる支持部材２５０と、この一対の支持部材２５０の下端部と連結する下辺部材２４１とを樹脂材料で一体成型して形成される。つまり、このプローブ保持体２４０は、全体に細い枠状に形成され、その内側にプローブ保持部２２０の端部を挟み込んで保持する図示しない溝を備えることで、プローブ保持部２２０の長手方向の両側と下辺部を確り保持する。
【００５９】
一方、プローブ保持部２２０の上辺は、プローブ保持体２４０のような枠体で保持することなる、その端部がほつれないように布地など保護された縁取り部２４２が設けられている。
【００６０】
また、プローブ保持体２４０の下辺部材２４１の両側延長線上には固定ベルト２８０のベルト取付部２４３が設けられている。更に、下辺部材２４１の内側には滑り止め部材２６０が設けられている。この滑り止め部材２６０は、細い帯状のスポンジ等の材料で形成されるものであり、下辺部材２４１の内側に沿って設けられることによって、プローブ装置１００と被検者の頭部（額）との緩衝材でかつ滑り防止機能の効果を得ることができる。
【００６１】
この実施の形態では、固定ベルト２８０を、一対のベルト２８１ａ、２８１ｂと、この一対のベルト２８１ａ、２８１ｂの長さを調整する長さ調整機構部２８２とからなる極一般的な構造のものを採用している。
【００６２】
この固定ベルト２８０とプローブ保持体２４０との取り付け構造によれば、被検者の頭部に対して左右方向に伸びて形成される下辺部材２４１の両側を固定ベルト２８０で保持することができるので、下辺部材２４１を被検者の額に位置合わせして、被検者の頭部の後方に位置する長さ調整機構部２８２を介して固定ベルト２８０の長さを調整することで、被検者の頭部にプローブ装置１００を確り保持することができる。この際、額にはプローブ装置１００の重量がかかるが、下辺部材２４１には滑り止め部材２６０が設けられているので、固定ベルト２８０の締め付けによる被検者が受ける不快感やプローブ装置１００の位置ずれを軽減することができる。
【００６３】
また、一対の支持部材２５０の上端には、この一対の支持部材２５０の距離を調整する距離調整部材２７０が設けられている。この実施の形態では、一方の支持部材２５０の上端部に形成した穴２７１ａから挿入され、縁取り部２４２に沿って配置されて、他の支持部材の上端部に形成した穴２７１ｂから引き出される紐２７２で距離調整部材２７０を構成する。この紐２７２の一端にはその位置を固定する固定具２７３が設けられ、この紐２７２の他端には任意の位置で固定される位置固定具２７４が取り付けられる。つまり、固定具２７３と位置固定具２７４の間に一対の支持部材２５０を挟み込むことで、その距離を調整することができる。
【００６４】
更に、この実施の形態では、下辺部材２４１の両側に設けられる一対の回転軸部２９０を介して回転可能に取り付けられるホルダ基板部５００を備えている。この実施の形態に係るホルダ基板部５００は、プローブ保持部２２０の外側を包んで、その両側を一対の回転軸部２９０で支持される帯状の外観を備えている。このホルダ基板部５００は差動増幅器５５０とＡ／Ｄ変換器５５１とプローブ通信部５５２と電源部５６０が設けられている。
【００６５】
この構造によれば、プローブホルダ２００にホルダ基板部５００が一体に取り付けられているので、プローブホルダ２００を被検者の頭部に取り付けるだけで、計測を実行することができる。しかしながら、この実施の形態ではホルダ基板部５００をプローブホルダ２００の周囲に設けているので、ホルダ基板部５００が、プローブ保持部２２０に設けられる複数の発光プローブ３００や検出プローブ４００を隠してしまい、これらプローブの調整ができないという課題が生じる。そこで、この実施の形態では、ホルダ基板部５００を回転軸部２９０を介して回転可能に取り付けることで、前記課題を解決している。この構造を図７で説明する。
【００６６】
図７において、この実施の形態では、前記下辺部材２４１には回転軸受部２９１と回転抑制受部２９２を形成し、前記ホルダ基板部５００には回転軸受部２９１に回転可能に支持されて回転軸突起部２９３と、前記回転抑制受部２９２と対となる回転抑制突起部２９４を設けることで回転軸部２９０を構成する。回転軸受部２９１と回転軸突起部２９３との連結は、任意の位置で角度を固定できる角度調整手段を備えて連結される。また（ｂ）図に示すように、この実施の形態では、回転軸突起部２９３に形成した配線通路２９５を介してコード５０１を配線することで、このコード５０１が外から見えるのを防いで、意匠性の向上を図っている。
【００６７】
また、この実施の形態では、前記ホルダ基板部５００が前記下辺部材２４１の周囲に位置する水平な状態で、前記回転抑制突起部２９４が回転抑制受部２９２によって支持される構造としている。これにより、前記ホルダ基板部５００が衝撃などを受けることで、水平な状態から下方に回転することを防ぐことができる。
【００６８】
また、この構造によれば、ホルダ基板部５００を矢印P4に沿って回転させることで被検者の頭頂部に位置させることができる。このホルダ基板部５００を上げた状態では、プローブ保持部２２０全体がホルダ基板部５００によって隠蔽されないので、発光プローブ３００や検出プローブ４００を調整することができる。
【００６９】
図８において、この実施の形態に係るプローブ装置１００では、下辺部材２４１と固定ベルト２８０（図５参照）とで、プローブ保持部２２０の下辺部を被検者の額に確り位置合わせして保持することができる。そして、プローブ保持部２２０の両側を保持する支持部材２５０の下端部は前記下辺部材２４１に保持されるものの、その上端部を自由端とすることができる。そして、この自由端は樹脂の弾性を備えているので、この２つの距離を紐２７２と固定具２７３と位置固定具２７４を介して短くすることにより（ｂ）図に示すようにプローブ保持部２２０を被検者の頭部の形状に合わせてフイットさせることができる。例えば、紐２７２の一端を固定具２７３で止め、他の一端側に取り付けた位置固定具２７４から矢印P5に向かって引き出すようにする。これにより、固定具２７３と位置固定具２７４の間の距離L1が短くなり、これに伴って支持部材２５０の自由端側が矢印    P6のように内側に引き込まれて、プローブ保持部２２０の上辺側が絞り込まれた球面状のシート形状に変形させることができる。これにより突起部４１２を被検者の頭部５０の凹凸に合わせて位置決めすることができる。
【００７０】
また、図９はホルダ基板部の他の実施の形態を説明するものである。この実施の形態に係るホルダ基板部５００ａはプローブホルダ２００ａとコード５０１を介して接続される構造を備えている。ここで、他の構造については、図１から図８で説明した構造と同じ構造を備えている。
【００７１】
この実施の形態では、ホルダ基板部５００ａに設けたベルト固定具５０２を被検者の腰のベルトに取り付けることができる。このように、この実施の形態によれば、ホルダ基板部５００ａをプローブホルダ２００ａと分離して被検者の他の部位に取り付けて使用可能としているので、被検者の行動の自由度を維持しつつ、頭部への負担を軽減することができる。
【００７２】
（第２の実施の形態）
次に、図１０から図１４は、第２の実施の形態に係るプローブ装置１００ｂを説明するものである。図１０は、第２の実施の形態に係る生体光計測装置の概略構成図を示している。図１１は、第２の実施の形態に係るプローブ装置の外観図であり、（ａ）図が正面図、（ｂ）図が被検者の頭部に装着した状態の外観図である。図１２は、発光プローブの縦断面図である。図１３は光フアイバーの固定具の動作機構図であり、（ａ）図が動作概念図、（ｂ）図が断面図を示している。図１４は光フアイバーの固定具の外観図であり、（ａ）図が平面図、（ｂ）図が正面図、（ｃ）図が右側面図、（ｄ）図が底面図、（ｅ）図が横断面図、（ｆ）図が背面図、（ｇ）図が左側面図である。
【００７３】
先ず、図１０において、この第２の実施の形態に係る生体光計測装置１ｂは、発光プローブ３００ｂから発する光源を生体光計測装置本体１０ｂの光生成部１４で生成し、この光を光フアイバー５０２を介してプローブ装置１００ｂの発光プローブ３００ｂに供給するものである。
【００７４】
したがって、この生体光計測装置１ｂが図１に示す第１の実施の形態に係る生体光計測装置１と大きく違う点は以下の点である。
【００７５】
先ず、生体光計測装置１では発光プローブ本体３１０の発光ユニット３１１に光源部３１５と発振器３１６とを設けたが、この生体光計測装置本体１ｂでは光生成部１４と発振器３１６とを生体光計測装置本体１０ｂに設けている。更に、ホルダ基板部５００に設けていた電源部５６０を生体光計測装置本体１ｂに設けている。
【００７６】
また、前記光源の光生成部１４の配置の違いに伴って、前記生体光計測装置１ではプローブ保持部２２０に配線した配線シート２３０を介して発光プローブ本体３１０に電源を供給しているが、この生体光計測装置１ｂでは、発光プローブ本体３１０と光生成部１４とを複数の光フアイバー５０２で接続し、発光プローブ本体３１０に光を直接供給する構造を備えている。
【００７７】
この第２の実施の形態に係るこの生体光計測装置１ｂでは、光フアイバー５０２を介して発光プローブ３００ｂに光を供給するために、この光フアイバー５０２を束ねる手段をプローブ装置１００ｂに備えている。
【００７８】
その他の構造、特に検出プローブ４００の構造については、図１に示す生体光計測装置１と同様な構造を備えている。
【００７９】
なお、この実施の形態では、光生成部１４と発振部３１６と電源部５６０を生体光計測装置本体１０ｂに設ける実施例で説明しているが、光生成装置として、生体光計測装置本体１０ｂの装置と分離した構造を備えるようにしても良い。
【００８０】
また、この実施の形態では、ホルダ基板部５００ｂとプローブホルダ２００ｂとをコード５０１で接続し、ホルダ基板部５００ｂと生体光計測装置本体１０ｂとを無線通信で接続する構造としているが、ホルダ基板部５００ｂの内容を生体光計測装置本体１０ｂに取り込んで、この生体光計測装置本体１０ｂとプローブホルダ２００ｂとを長いコード５０１で接続するようにしても良い。
【００８１】
図１１において、このプローブ装置１００ｂでは、複数の光フアイバー５０２を介して光を供給するため、複数の光フアイバー５０２の配線が大きな課題となる。
【００８２】
そこで、この実施の形態では、斜線で示した発光プローブ本体３１０ｂと検出プローブ本体４１０ｂにフアイバ押板取付部４７０を設け、このフアイバ押板取付部４７０の間を連結するフアイバ押板４７１を取り付けるようにする。即ち、この実施の形態では、プローブ保持部２２０の外表面に突出して形成される発光プローブ本体３１０ｂと検出プローブ本体４１０ｂの上面をフランジ状に形成し、このフランジの下方に凹状のフアイバ押板取付部４７０を形成する。そして、この２つのフアイバ押板取付部４７０を連結するように、帯状のフアイバ押板４７１を取り付けるようにする。
【００８３】
この構造によれば、フアイバ押板４７１と、この下方に位置するプローブ保持部２２０との間に隙間が形成されるので、この隙間４７２に光フアイバ５０２を通すことにより、光フアイバー５０２を束ねることができる。また、この実施の形態では、２つのフアイバ押板取付部４７０を連結するにあたり、同種の発光プローブ本体３１０ｂまたは検出プローブ４００ｂの間を連結するようにする。
【００８４】
即ち、この実施の形態では、複数の発光プローブ３００ｂと検出プローブ本体４１０ｂは、斜線で示した発光プローブ３００ｂの両隣に検出プローブ４００ｂを位置するように、交互にかつマトリックス状に配置される。このため、同種の発光プローブ本体３１０ｂまたは検出プローブ本体４１０ｂの間を連結すると、フアイバ押板４７１は斜め姿勢で２つのフアイバ押板取付部４７０を連結することになる。この斜め姿勢のフアイバ押板４７１によれば、発光プローブ３００と検出プローブ４００の間に配線される光フアイバー５０２は、縦姿勢または横姿勢のフアイバ押板４７０に比べて押さえられる面積が広い斜め姿勢のフアイバ押板４７１によって押さえられるので、光フアイバー５０２を束ねる機能や、隠す機能を高めることができる。
【００８５】
また、この実施の形態では、意匠性を向上するために、プローブ保持部２２０の左右方向の中央線Ｐ１０を基準に、左右対称な配置とし、同種の発光プローブ本体３１０ｂまたは検出プローブ本体４１０ｂとをフアイバ押板４７１で連結するようにする。この場合、３個以上の連結も斜め方向に連結することができる。
【００８６】
図１１の（ａ）図に示す実施の形態では、発光プローブ３００ｂと検出プローブ４００とを３段９列に配置しているので、９列の配列を4列と５列に左右に分割し、その中央線Ｐ１０を中心にＶ字型の配列となるようにフアイバ押板４７１を取り付ける。即ち、中央線Ｐ１０に近い下段のフアイバ押板取付部４７０ａにフアイバ押板４７１の一端を取り付けた場合、フアイバ押板４７１の他端は中段のフアイバ押板取付部４７０ｂに取り付けるようにする。
【００８７】
もちろん、中央線Ｐ１０を中心に逆Ｖ字型の配列となるようにフアイバ押板４７１を取り付けるようにしても良い。また、左右対称な配列ではなく、一方向に斜めに連結した配列でも良い。
【００８８】
次に、図１２を参照して光フアイバーが取り付けられる発光プローブ３００ｂの具体的構造を説明する。図１２は、発光プローブの縦断面図を示している。
【００８９】
図１２において、この実施の形態では、発光プローブ３００ｂを、ほぼ円柱形状の外観を備えた発光プローブ本体３１０ｂと、この発光プローブ本体３１０ｂをプローブ保持部２２０の所定の位置に取り付けるための発光プローブ取付部３５０ｂとから構成する。
【００９０】
発光プローブ取付部３５０ｂは、本体リング部３５１と取付リング部３５２とから構成される。本体リング部３５１は高さの低い筒状の外観を備え、その一端側に外周に張り出したリング状のフランジ部３５３が設けられている。また、本体リング部３５１のフランジ部側と対向する端部側には取付リング部３５２を取り付けることができる。この取付リング部３５２は、本体リング部３５１に取り付けることにより、前記フランジ部３５３とこの取付リング部３５２との間にプローブ保持部２２０を挟み込んで、発光プローブ取付部３５０ｂをプローブ保持部２２０に確り保持させることができる。
【００９１】
一方、発光プローブ本体３１０ｂは、円柱形状のベース筐体３２０と、このベース筐体３２０に取り付けられる押板取付キャップ３２１とから構成している。ベース筐体３２０は円柱形状の外観を備えて、その一端側に突起部４１２を備え、他の一端側にキャップ取付部３２２を設けている。
【００９２】
更に、ベース筐体３２０は、キャップ取付部３２２側の周側面の端部に外側に張り出したフランジ３２４を備え、更に、ベース筐体３２０の周側面には取付突起部３２３が設けられている。
【００９３】
この実施の形態では、発光プローブ取付部３５０ｂに光プローブ本体３１０ｂを組み立てる際には、突起部４１２を備えた端部側から光プローブ本体３１０ｂを取付リング部３５２内に挿入する。挿入された光プローブ本体３１０ｂは、そのフランジ３２４が取付リング部３５２のフランジ部３５３に当たって、その位置が固定されるとともに、取付リング部３５２の周側面に形成される嵌合凹部３５４と取付突起部３２３とが嵌合され、発光プローブ本体３１０ｂを発光プローブ取付部３５０ｂに固定・支持することができる。ここで、嵌合凹部３５４と取付突起部３２３との嵌合は樹脂の弾性を利用して着脱が可能な程度に取付突起部３２３の突出量や形状としている。
【００９４】
また、この実施の形態では、フランジ３２４の周側面に光フアイバー５０２を取り付けるための光コネクタ３２５を備えている。この光コネクタ３２５は光フアイバー４１３と接続され、光フアイバー５０２から供給される光を突起部４１２の先端部から照射することができる。
【００９５】
また、押板取付キャップ３２１は、板状の円形板の一方の平面側に一回り小さい円柱形状の取付突起軸３２６が張り出した外観形状を備えている。一方、キャップ取付部３２２はは凹状に形成されており、このキャップ取付部３２２に取付突起軸３２６の先端部を装着することで、この押板取付キャップ３２１とフランジ３２４とで凹状の前記フアイバ押板取付部４７０を構成する。この実施の形態では、フアイバ押板４７１を押さえる面積を広くするためや、厚さ調整のために、ワッシャ板３２７を取り付けることができる。
【００９６】
なお、具体的な図面では図示しないが、この実施の形態では、検出プローブ４００ｂもまた、発光プローブ３００ｂと同様な前記フアイバ押板取付部４７０を備えている。即ち、結線蓋部４５３の上面に凹状のキャップ取付部３２２を形成し、このキャップ取付部３２２に押板取付キャップ３２１を取り付けることができる。
【００９７】
次に、図１３と図１４を参照して、フアイバ押板４７１の取り付け構造を更に説明する。図１３、図１４において、この実施の形態にかかるフアイバ押板４７１は柔軟性のある樹脂材料やゴムなどの軟質材で形成される。図１３の（ａ）図と図１４には、その一実施例の外観形状を示している。例えば、この実施の形態に係るフアイバ押板４７１は、長手方向の両端部が半円形に形成される薄い板状の外観を備え、その長手方向の一端には外周が閉じた円形の開口部４７３が形成され、他の一端には外周の一部が開放された鍵形の開口部４７４が形成される。この開口部４７３と開口部４７４の厚さは他の厚さの約１／２の厚さで薄く形成されることで、１つのフアイバ押板取付部４７０に２枚のフアイバ押板４７１やワッシャ板３２７を取り付けることができる。
【００９８】
図１３の（ｂ）図にフアイバ押板４７１の取り付け構造を示す。この実施の形態では、フアイバ押板４７１の閉じた円形の開口部４７３に押板取付キャップ３２１ａの取付突起軸３２６を通してフアイバ押板取付部４７０ａに装着する。これにより、フアイバ押板４７１は、（ａ）図に示すように、フアイバ押板取付部４７０ａを中心に回転可能に取り付けられる。
【００９９】
一方、フアイバ押板４７１の他方の開口部４７４は、一部が開放された鍵形に形成されているので、押板取付キャップ３２１ｂの取付突起軸３２６をこの開口部４７４に通してフアイバ押板取付部４７０ｂに装着しても、この押板取付キャップ３２１ｂを取り外すことなく一部が開放された鍵形の形状を利用してフアイバ押板取付部４７０ｂから開口部４７４を取り外すことができる。この際、フアイバ押板取付部４７０ｂにワッシャ板３２７や他のフアイバ押板の一端を取り付けることができる。
【０１００】
このようなフアイバ押板４７１の構造によれば、フアイバ押板４７１の一端を開放しておいて、光フアイバー５０２を配線した後に開放した一端を取り付けることができるので、光フアイバー５０２の配線処理を容易に行うことができる。
【０１０１】
（第３の実施の形態）
次に、図１５は、第３の実施の形態に係る生体光計測装置１ｃを説明するものである。図１５は、第２の実施の形態に係る生体光計測装置の概略構成図を示している。
【０１０２】
図１５において、この第３の実施の形態に係る生体光計測装置１ｃは、発光プローブ３００ｂから発する光源を生体光計測装置本体１０ｃの光生成部１４で生成し、この光を光フアイバー５０２を介してプローブ装置１００ｃの発光プローブ３００ｃに供給するとともに、検出プローブ４００ｃで検出した光を光フアイバ５０３を介して生体光計測装置１ｃに取り込む構造を備えたものである。そして、この実施の形態では、光フアイバ５０２と５０３の多くの配線を第２の実施の形態で説明したフアイバ押板４７１で押さえる構造を採用している。
【０１０３】
したがって、この生体光計測装置１ｃが図１０に示す第２の実施の形態に係る生体光計測装置１ｂと大きく違う点は、検出プローブ本体４１０の検出ユニット４１１には検出部４１５を設け、他のロックインアンプ４１６と対数増幅器４１７を生体光計測装置本体１０ｃに設けた点である。
【０１０４】
以上述べたように、この実施の形態に係るプローブ装置は、生体表面に光を照射する光照射手段と、生体内部を通過して生体表面から出射する光強度を検出する光検出手段とを備える生体光計測装置に用いるプローブ装置において、前記プローブ装置は、その先端に前記光照射手段を備えた複数の光照射プローブ本体と、その先端に前記光検出手段を備えた複数の光検出プローブ本体と、前記光照射プローブ本体と前記光検出プローブ本体とを保持するプローブ支持体（プローブ保持部）と、前記光検出プローブ本体と前記光照射プローブ本体とを前記プローブ支持体の前記所定の位置に支持する本体支持部（発光プローブ取付部、検出プローブ取付部）とを備え、前記プローブ支持体は、立体織物構造を備えた外シートと、立体織物構造を備えた内シートと、前記外シートと前記内シートとの間に配置される遮光シートと配線シートとを積層した構造体であり、前記光検出プローブ本体は光検出部を備え、この光検出部は前記本体支持部を介して前記配線シートと電気的に接続されるようにする。
【０１０５】
この場合、プローブ装置は発光プローブ本体は発光部を備え、この発光部は前記本体支持部を介して前記配線シートと電気的に接続するようにする。更に、プローブ装置は、前記プローブ支持体は、本体支持部を支持するシート状のプローブ保持部と、前記プローブ保持部の長手方向の両側に設けられる支持部材と、前記プローブ保持部の短手方向の一端に配置される滑り止め部材と、前記プローブ保持部の短手方向の他の一端に設けられ、前記支持部材の距離を調節する距離調整部材と、前記一対の支持部材に取り付けられる固定ベルトとから構成され、前記プローブ保持部が、立体織物構造を備えた外シートと、立体織物構造を備えた内シートと、前記外シートと前記内シートとの間に配置される遮光シートと配線シートとを積層した構造体とする。
【０１０６】
また、前記プローブ装置から出力される電気信号を画像処理してマップ等の表示を行う生体光計測装置本体と無線通信を可能とする通信手段と、前記プローブ装置に電源を供給する電源部とを備えたホルダ基板部を備え、このホルダ基板部は前記配線シートと電気的に接続されるようにする。更に、光照射プローブ本体と光検出プローブ本体は、外シートから露出する位置に、帯状の配線押え板の一端を取り付けるための配線押え板取付部を備える
更に、前記本体支持部は、外シートから露出する位置に、帯状の配線押え板の一端を取り付けるための配線押え板取付部を備えるようにする。また、前記光照射プローブ本体と前記光検出プローブ本体とは互いに隣接するような格子状の配列でプローブ支持体に保持され、前記配線押え板は、両端部に配線押え板取付部に取り付けるための取付手段を備えるとともに、前記取付手段の間の長さは、同種の前記光照射プローブ本体または前記光検出プローブ本体、あるいはこれを支持する前記本体支持部の前記配線押え板取付部に取り付けることが可能な長さに設定する。
【図面の簡単な説明】
【０１０７】
【図１】第１の実施の形態に係る生体光計測装置の概略構成図である。
【図２】検出プローブの周辺構造の展開図である。
【図３】検出プローブの断面図である。
【図４】検出プローブの外観図である。
【図５】プローブ装置の外観を示す後方斜視図である。
【図６】被検者の頭部にプローブ装置を取り付けた状態の斜視図である。
【図７】ホルダ基板部の動作機構を示す参考図である。
【図８】距離調整部材の具体的構造を示す参考図である。
【図９】ホルダ基板部の他の応用構造を示す後方斜視図である。
【図１０】第２の実施の形態に係る生体光計測装置の概略構成図である。
【図１１】第２の実施の形態に係るプローブ装置の外観図である。
【図１２】発光プローブの縦断面図である。
【図１３】光フアイバーの固定具の動作機構図である。
【図１４】光フアイバーの固定具の外観図である。
【図１５】第３の実施の形態に係る生体光計測装置の概略構成図である。
【符号の説明】
【０１０８】
１…生体光計測装置、１０…生体光計測装置本体、１１…計算機、１２…表示部、１３…本体通信部、１４…光生成部、１００…プローブ装置、２００…プローブホルダ、２２０…プローブ保持部、２２１…外シート、２２２…内シート、２２３…遮光シート、２２４…開口部、２３０…配線シート、２３１…端部、２４０…プローブ保持体、２４１…下辺部材、２４２…縁取り部、２４３…ベルト取付部、２５０…支持部材、２６０…滑り止め部材、２７０…距離調整部材、２７１ａ…穴、２７１ｂ…穴、２７２…紐、２７３…固定具、２７４…位置固定具、２８０…固定ベルト、２８１ａ、２８１ｂ…ベルト、２８２…長さ調整機構部、２９０…回転軸部、２９１…回転軸受部、２９２…回転抑制受部、２９３…回転軸突起部、２９４…回転抑制突起部、２９５…配線通路、３００…発光プローブ、３１０…発光プローブ本体、３１１…発光ユニット、３１５…光源部、３１６…発振器、３２０…ベース筐体、３２１…押板取付キャップ、３２２…キャップ取付部、３２３…取付突起部、３２４…フランジ、３２５…光コネクタ、３２６…取付突起軸、３２７…ワッシャ板、３５０…発光プローブ取付部、３５１…本体リング部、３５２…取付リング部、３５３…フランジ部、４００…検出プローブ、４１０…検出プローブ本体、４１１…検出ユニット、４１２…突起部、４１３…光フアイバー、４１５…検出部、４１６…ロックインアンプ、４１７…対数増幅器、４１８…位置決めフランジ部、４１９…本体側コネクタ、４５０…検出プローブ取付部、４５１…本体リング部、４５２…取付リング部、４５３…結線蓋部、４５４…フランジ部、４５５…内側面、４５６…取付側コネクタ、４５７…配線、４５８ａ…固定突起、４５８ｂ…固定受部、４５９…本体位置決め突起、４６０…接続コネクタ、４７０…フアイバ押板取付部、４７１…フアイバ押板、４７２…隙間、４７３…開口部、４７４…開口部、５００…ホルダ基板部、５０１…コード、５０２、５０３…光フアイバー、５０２…ベルト固定具、５５０…差動増幅器、５５１…Ａ／Ｄ変換器、５５２…プローブ通信部、５６０…電源部。
【図１】
2008200226.tif 000003
【図２】
2008200226.tif 000004
【図３】
2008200226.tif 000005
【図４】
2008200226.tif 000006
【図５】
2008200226.tif 000007
【図６】
2008200226.tif 000008
【図７】
2008200226.tif 000009
【図８】
2008200226.tif 000010
【図９】
2008200226.tif 000011
【図１０】
2008200226.tif 000012
【図１１】
2008200226.tif 000013
【図１２】
2008200226.tif 000014
【図１３】
2008200226.tif 000015
【図１４】
2008200226.tif 000016
【図１５】
2008200226.tif 000017